(57)【要約】【課題】  コインの投入又はコインの連続投入が可能なコインの投入装置及びゲーム装置を提供する。【解決手段】  コインＣが落下可能な落下口１２と、凹状の断面を有し、落下口に向かって下降する傾斜を有する傾斜面１３と、落下口１２に設けられた当接部１４と、傾斜面１３にコインＣを送出する送出部２０を有するコインの投入装置。送出部２０は、載置面２２と送出口２７を有する。載置面２２は、コインＣを寝かせて載置可能であり、傾斜面１３に向けて下降する傾斜を有する。送出口２７は、載置面２２のコインＣを傾斜面１３に寝かせた状態で送出する。【選択図】  図１
2017140322.tif 000002
【特許請求の範囲】
【請求項１】
コインが落下可能な落下口と、
前記落下口に向かって下降する傾斜を有する傾斜面と、
前記落下口に設けられた当接部と、
前記傾斜面にコインを送出する送出部を有し、
前記送出部は、
コインを寝かせて載置可能であって、前記傾斜面に向けて下降する傾斜を有する載置面と、
前記載置面のコインを前記傾斜面に寝かせた状態で送出する送出口を有することを特徴とするコインの投入装置。
【請求項２】
前記送出口が、コイン２枚分の厚みより大きく、コイン３枚分の厚みより小さい幅を有することを特徴とする請求項１に記載の投入装置。
【請求項３】
前記傾斜面の傾斜の角度が前記載置面の傾斜の角度よりも小さいことを特徴とする請求項１又は２に記載の投入装置。
【請求項４】
前記傾斜面は凹状の断面を有することを特徴とする請求項1〜３のいずれか一項に記載の投入装置。
【請求項５】
前記凹状の断面は、コインの外形よりも大きい曲率の円弧状であることを特徴とする請求項４記載の投入装置。
【請求項６】
施錠可能な筐体を更に有し、
前記落下口、前記傾斜面及び／又は前記当接部が前記筐体の外部に設置されていることを特徴とする請求項１〜５のいずれか一項に記載の投入装置。
【請求項７】
請求項１〜６のいずれか一項に記載の投入装置を有するゲーム機。
【請求項８】
前記載置面が前記ゲーム機の正面方向と概略直交する方向に設置されていることを特徴とする請求項７に記載のゲーム機。
【発明の詳細な説明】
【技術分野】
【０００１】
本発明は、コインの投入装置及びゲーム機に関する。
【背景技術】
【０００２】
コインを投入するゲーム機が知られている。例えば、ビデオゲーム機やスロットマシンでは、ゲーム料金又は掛け金としてコインがゲーム機に投入され、メダルゲーム機では、投入したコインを使用してゲームが行われる。これらのゲーム機では、通常、スリット状の投入口からコインを１枚ずつ投入するようになっており、投入するコインの枚数が多いと、投入に手間が掛かり、時間が掛かる。
【０００３】
図１０は、特許文献１に開示された投入装置１０１を示す。投入装置１０１は、コインが落下可能な落下口１０２と、落下口１０２に向けて下降する傾斜を有する傾斜面１０３と、落下口１０２に設けられた当接板１０４を有する。傾斜面１０３と当接板１０４が成す角度βは９０度以下である。投入装置１０１では、図示のように、立てて束ねた複数のコインを傾斜面１０３に載せることで、落下口１０２に連続的にコインが投入される。傾斜面１０３は、立てたコインを並べ易いように、コインの外形に合わせた断面形状になっている。
【先行技術文献】
【特許文献】
【０００４】
【特許文献１】特開平６−２０３２５２号公報
【発明の概要】
【発明が解決しようとする課題】
【０００５】
しかし、コインは、ばらけたり倒れたりするので、図１０のようにコインを傾斜面１０３に立てて並べることは容易ではない。また、コインを並べるときの力加減やコインの微妙な角度などにより、落下口１０２でコイン詰まりを生じ易い。その場合、詰まったコインを取り除き、コインを立てて並べる作業をやり直す必要があり、面倒である。
【０００６】
本出願人は、特許文献１と類似の投入装置１１１を使用し、コインを立てて投入するのではなく、寝かせた状態のコインを投入する新たな方法を案出した。図１１は、当該投入装置１１１を示す。図１１（ａ）は斜視図を示し、投入装置１１１は、傾斜面１１３の断面が、コインＣの外形よりも大きい曲率の半円状である点で投入装置１０１と相違する。また、傾斜面１１３の長さＬ１は、コインＣの直径Ｌよりも長い。
【０００７】
図１１（ｂ）に示すように、寝かせた状態でコインＣを傾斜面１１３に投入すると（矢印Ａ１）、コインＣは傾斜面１１３の傾斜により、当接部１１４に向けてスライドする（矢印Ａ２）。傾斜面１１３がコインの直径より大きい円形の断面を有するため、図１１（ｃ）に示すように、コインＣは、両端の２点Ｐ１，Ｐ２で傾斜面１１３に支持され、当該２点を軸として回転可能な状態である。そのため、コインＣが当接部１１４に当接すると、その勢いでコインＣが回転して起立し（矢印Ａ３）、落下口１１２に落下する（矢印Ａ４）。投入装置１１１では、傾斜面１１３に連続的にコインを投入することも可能である。
【０００８】
しかし、図１１（ｄ）に示すように、高いところからコインＣを投入した場合（Ａ５）や傾斜面１１３と大きく異なる角度でコインＣを投入した場合（Ａ６）には、傾斜面１１３の上でコインＣが暴れて落下口１１２にスムーズに入らないことがある。また、多数のコインＣを連続して投入したときに、Ａ７に示すように、当接部１１４にコインＣが滞留し、滞留したコインＣの重みでコイン詰まりを生じる場合がある。
【０００９】
本願には、上記問題に鑑みて案出された新たな投入装置、又は、上記問題を解消又は軽減することができる投入装置並びにそのような投入装置を有するゲーム機が開示される。
【課題を解決するための手段】
【００１０】
本願には、下記各観点の発明が開示される。
【００１１】
＜観点１＞
コインが落下可能な落下口と、
前記落下口に向かって下降する傾斜を有する傾斜面と、
前記落下口に設けられた当接部と、
前記傾斜面にコインを送出する送出部を有し、
前記送出部は、
コインを寝かせて載置可能であって、前記傾斜面に向けて下降する傾斜を有する載置面と、
前記載置面のコインを前記傾斜面に寝かせた状態で送出する送出口を有することを特徴とするコインの投入装置。
【００１２】
＜観点２＞
前記送出口が、コイン２枚分の厚みより大きく、コイン３枚分の厚みより小さい幅を有することを特徴とする観点１に記載の投入装置。
【００１３】
＜観点３＞
前記傾斜面の傾斜の角度が前記載置面の傾斜の角度よりも小さいことを特徴とする観点１又は２に記載の投入装置。
【００１４】
＜観点４＞
前記傾斜面は凹状の断面を有することを特徴とする観点1〜３のいずれか一項に記載の投入装置。
【００１５】
＜観点５＞
前記凹状の断面は、コインの外形よりも大きい曲率の円弧状であることを特徴とする観点４記載の投入装置。
【００１６】
＜観点６＞
施錠可能な筐体を更に有し、
前記落下口、前記傾斜面及び／又は前記当接部が前記筐体の外部に設置されていることを特徴とする観点１〜５のいずれか一項に記載の投入装置。
【００１７】
＜観点７＞
観点１〜６のいずれか一項に記載の投入装置を有するゲーム機。
【００１８】
＜観点８＞
前記載置面が前記ゲーム機の正面方向と概略直交する方向に設置されていることを特徴とする観点７に記載のゲーム機。
【００１９】
コインは、円盤状の部材を使用することができる。コインは、メダルや硬貨とすることができる。
【００２０】
落下口は、コインが通過可能なサイズ及び形状の開口、空間又は通路とすることができる。好ましくは、落下口は、コインが１枚ずつ通過可能なサイズ及び形状を有する。好ましくは、落下口は、立てた状態のコインが通過可能なサイズ及び形状を有する。コインが円滑に落下するよう、落下口は、鉛直方向又はそれに近い角度を有することが好ましい。
【００２１】
当接部は、傾斜面をスライド（滑動）したコインが当接する部材である。当接部は、落下口の一端から起立する板状の部材とすることができる。当接部の起立角度は、落下口と同程度の角度とすることが好ましい。
【００２２】
傾斜面は、落下口に向かって下降する傾斜を有する。傾斜面の傾斜は、寝かせた状態のコインが落下口に向けてスライドし得る角度とすることができる。傾斜面の好ましい傾斜角度は、３０〜４０度である。傾斜面は、全長に渡って上記傾斜を有する必要はない。コインが当接部に当接するまでスライドできるなら、傾斜面の一部は、上記傾斜を有さなくてもよい。
【００２３】
傾斜面は、凹状の断面を有する。凹状の断面を有することにより、コインが当接部に当接した際に、コインが回転し易くなり、コインを円滑に落下口に導くことができる。コインと傾斜面は、２点接触することが好ましい。凹状の断面は、コインの外形よりも大きい曲率の円弧状とすることが好ましく、曲率を大きくしていくと究極的には平坦面でもよい。傾斜面の断面は、Ｖ字状、台形状、放物線状等、他の形状でも良い。傾斜面は、全長に渡って凹状の断面である必要はない。当接板からの距離がコインの半径以内である部分のみが凹状の断面であれば、コインの回転に支障はない。
【００２４】
載置面は、コインを寝かせた状態で載置可能な面である。載置面にコインを寝かせた状態は、コインを立てた状態（載置面とコインの角度が約９０度の状態、又は、コインがコインの外周の１点のみで載置面に接触した状態）ではないことをいう。好ましい実施形態では、コインを寝かせた状態は、コインの面と載置面の角度が概略平行の状態である。特に好ましい実施形態では、コインを寝かせた状態は、コインの表裏いずれかの面が載置面に接触した状態である。
【００２５】
載置面は、傾斜面に向かって下降する傾斜を有する。載置面の傾斜は、コインが傾斜面に向けてスライドし得る角度とすることができる。載置面の好ましい傾斜角度は、４０〜５０度である。載置面は、平坦な面でもよく、湾曲した面でもよく、凹凸を有する面でもよい。
【００２６】
送出口は、コインを傾斜面に寝かせた状態で送出するためのものである。送出口は、コインが通過することが可能なサイズ及び形状の開口、空間又は通路とすることができる。コインを寝かせた状態は、コインを立てた状態（傾斜面とコインの角度が約９０度の状態、又は、コインがコインの外周の１点のみで傾斜面に接触した状態）ではないことをいう。コインを寝かせた状態は、コインの面と傾斜面の角度が６０度以下であることが好ましく、３０度以下であることがより好ましく、１５度以下であることが特に好ましい。特に好ましくは、コインを寝かせた状態は、コインの面と傾斜面の角度が概略平行の状態である。
【発明の効果】
【００２７】
本発明による投入装置によれば、コインを寝かせた状態でコインを投入することができ、コインを立てて投入するよりも投入が容易となり、投入時に傾斜面でのコインの暴れが抑えられ、コインを円滑に落下口に導くことが可能となる。
【図面の簡単な説明】
【００２８】
【図１】本発明の１実施形態に係る投入装置１０の斜視図
【図２】投入装置１０の分解斜視図
【図３】投入装置１０の平面図
【図４】図３の投入装置１０のＸ−Ｘ断面図
【図５】傾斜面１３の断面形状を示す図
【図６】投入装置１０を用いたコインの投入の様子を示す説明図
【図７】従来のゲーム機３０ａ，３０ｂ
【図８】本発明の１実施形態に従うゲーム機３０ｃ，３０ｄ
【図９】他の実施形態に係る投入装置１０
【図１０】従来の投入装置１０１
【図１１】本願発明者の発案した投入装置１１１
【発明を実施するための形態】
【００２９】
図１〜４は、本発明の一実施形態の投入装置１０を示す。図１は、投入装置１０の斜視図であり、図２は、投入装置１０の分解斜視図であり、図３は、投入装置１０の平面図であり、図４は、図３におけるＸ−Ｘ断面図である。
【００３０】
図示のように、投入装置１０は、基台１１と送出部２０を有する。基台１１は、落下口１２と、傾斜面１３と、当接部１４と、ブラケット１５を有する。
【００３１】
落下口１２は、コインを落下させるための開口、空間又は通路である。落下口１２は、コインの厚みよりも僅かに大きい幅寸法と、コインの直径よりも大きい長さ寸法を有する。
通常、アミューズメント施設で用いられる遊戯用コインは代表的なものとして、５セントタイプが直径２１．３ｍｍ、厚さ２．１ｍｍであり、２５セントタイプが直径２４．４ｍｍ、厚さ１．６ｍｍである。これ以外にも様々なタイプがあり、直径２１ｍｍ〜２６ｍｍまでタイプが存在している。
落下口１２は、起立した状態のコインが１枚ずつ落下することが可能である。落下口１２は、概略鉛直方向に延びている。
【００３２】
傾斜面１３は、落下口１２に向かって下降する傾斜を有する。傾斜は、寝かせた状態のコインがスライドする程度の角度を有する。図示の例では、傾斜面１３の下端が落下口１２の一端と連続している。
【００３３】
傾斜面１３は、凹状の断面形状を有する。図５は、傾斜面１３の例示的な断面形状を示す。図５（ａ）〜図５（ｄ）のように、傾斜面１３は、円形（半円形）、Ｖ字状、台形状、放物線状等の形状を有し得る。これらの形状では、図５（ａ）に示すように、寝かせた状態のコインＣが、コインの両端の２点Ｐ１，Ｐ２で支持される。
【００３４】
傾斜面１３が図５（ｂ）〜図５（ｄ）のようにＶ字状、台形状、放物線状の場合、コインが傾いたときに元に戻らず（Ｃ１〜Ｃ３参照）、コインが上手く落下口１２に落下しない場合がある。傾斜面１３の断面形状を図５（ａ）に示すような円形にすると、コインＣが上を向き易くなるので、特に好ましい。
【００３５】
円形断面の場合、円の直径は、使用する最大のコインの直径よりも大きいことが好ましい。例えば、２１〜２６ｍｍφの範囲のサイズのコインを使用する場合、傾斜面１３の断面の直径は、２７〜３０ｍｍφであることが好ましい。凹状の断面は、コインの外形よりも大きい曲率の円弧状とすることが好ましく、曲率を大きくしていくと究極的には平坦面になる。
【００３６】
傾斜面１３は、コインがスライドできる程度の長さＬ１を有する（図４参照）。好ましくは、傾斜面１３は、使用する最大サイズのコイン直径の１．５倍、又は、それ以上の長さを有する。例えば、２１ｍｍφから２６ｍｍφまでのサイズのコインを使用する場合、傾斜面１３の長さは、３９ｍｍ以上とすることができる。
【００３７】
当接部１４は、傾斜面１３をスライドしたコインが当接する部材である。図示の例では、当接部１４は、落下口１２の一端（傾斜面１３と逆側端）から落下口１２と概略同一の角度で起立する板状の部材で構成されている。
【００３８】
送出部２０は、載置部材２１と上部部材２４を有する。
【００３９】
載置部材２１は、載置面２２を有する。載置面２２は、傾斜面１３に向かって下降する傾斜を有する。載置面２２の傾斜は、載置面２２に寝かせたコインがスライドする程度の角度を有する。図示の例では、載置面２２は、平板状の部材の上面で構成されており、コインが傾斜面１３に向けてスライドし易くなるように、載置面２２の表面に傾斜面１３の方を向いた線状の溝が形成されている。
【００４０】
載置面２２には、コインを寝かせた状態で載置することができる。好ましくは、載置面２２と平行にコインを載置することができる。
【００４１】
載置面２２の後端には、切欠２２ａが形成されている。切欠２２ａを有することにより、載置面２２にコインを載置し易くなる。
【００４２】
上部部材２４は、天井２５とカバー２６を有する。
【００４３】
上部部材２４は、載置面２２と天井２５の間に送出口２７が形成されるように、載置部材２１に取り付けられる。送出口２７の幅（載置面２２に垂直な方向の寸法）は、コイン２枚分の厚みより大きく、コイン３枚分の厚みより小さい。送出口２７は、載置面２２に載置されたコインを２枚一度に傾斜面２２に寝かせた状態で送出することができる。
【００４４】
カバー２６は、載置面２２に対して垂直方向に延びる半円筒状の部材である。カバー２６の径は、使用する最大サイズのコインと概略同径であることが好ましい。
【００４５】
載置部材２１及び上部部材２４は、螺子孔の付いた脚２３，２８を有しており、これらをブラケット１５にネジ止めすることにより、基台１１に対して載置部材２１及び上部部材２４を固定することができる。
【００４６】
図６は、投入装置１０を用いたコインの投入の様子を示す。
【００４７】
図６（ａ）に示すように、載置面２２に対して寝かせた状態でコインＣが載置される。図６（ｂ）、図６（ｃ）に示すように、載置面２２には、寝かせた状態で複数のコインを積み重ねて載置することも可能である。載置面２２の傾斜面１３側にカバー２６に配置されているので、載置面２２にコインを積み重ねて載置するのが容易である。
【００４８】
図６（ａ）に示すように、載置面２２のコインＣは、載置面２２の傾斜により、送出口２７から傾斜面１３に寝かせた状態で送出される（Ａ１）。例えば、コインＣは、傾斜面１３に対して５度〜１５度程度の角度で寝かせた状態で傾斜面１３に送出される。
【００４９】
傾斜面１３に送出されたコインＣは、寝かせた状態、すなわち、傾斜面１３に対して概略平行の姿勢で傾斜面１３をスライドする（Ａ２）。ただし、図５（ａ）で説明したように、コインＣは、両端の２点Ｐ１，Ｐ２で傾斜面１３に支持されており、当該２点Ｐ１，Ｐ２を軸にして回転可能である。よって、図６（ａ）に破線で示すように、傾斜面１３に対していくらか傾斜した姿勢で傾斜面１３をスライドする場合もある。
【００５０】
コインＣは２点Ｐ１，Ｐ２を軸として回転可能であるため、コインＣは、当接部１４に当接したときに、回転して当接部１４と概略同じ角度に起立し（Ａ３）、落下口１２に落下する（Ａ４）。
【００５１】
送出口２７の寸法が上記の通りであるため、載置面２２に複数のコインを積み重ねて載置した場合、送出口２７から最大２枚のコインが一度に送出される（図６（ｂ）、図６（ｃ））。
【００５２】
送出口２７からコインが２枚同時に送出されると、図６（ｂ）、図６（ｃ）に示すように、２枚のコインは、重なった状態で傾斜面１３を滑降する場合がある。この場合、下側のコインが傾斜面１３と２点Ｐ１，Ｐ２で接触し、当該２点Ｐ１，Ｐ２を軸として重なった２枚のコインが一緒に回転可能である。よって、コインが当接部１４に当接すると、図６（ａ）の場合と同様の態様で起立し、上側のコイン→下側のコインの順序で、落下口１２に落下する。後続のコイン（載置面２２で最初の２枚のコインの上に積み重なっているコイン）も、最初の２枚に続いて、上記と同様の態様で落下口１２に落下する。
【００５３】
載置面２２や傾斜面１３とコインの摩擦係数や載置面２２や傾斜面１３の傾斜角度を適切に選択すると、図６（ｂ）に示すように、２枚重なった上側のコインが先行した状態で傾斜面１３を滑降させることができる。この場合、上側のコインが先に当接部１４に当接して起立し、後から起立した下側のコインが、上側のコインのばたつきを抑えるので、コインを円滑に落下口に導くことができる。
【００５４】
傾斜面１３でのコインＣのスライドを円滑にするため、例えば２５セントタイプ(直径２４．４ｍｍ)のコインに適する傾斜面１３の傾斜角度（傾斜面１３が水平と成す角度）αは、３０度以上であることが好ましく、３３度以上であることがより好ましく、３４度以上であることが特に好ましい。傾斜面１３へのコインＣの送出速度（単位時間当たりの送出枚数）が大きくなると、図６（ｃ）のＡ５で示すように、当接部１４に複数のコインＣが滞留する場合がある。滞留したコインＣから当接部１４に作用する力Ｆは、傾斜面１３の傾斜角度αが大きいほど大きくなり、力Ｆが大きいほど落下口１２でコイン詰まりを生じる可能性が高くなる。よって、コイン詰まりの可能性を低くするには、傾斜面１３の傾斜角度αは、４０度以下であることが好ましく、３７度以下であることがより好ましく、３６度以下であることが特に好ましい。上記傾斜角度αの上限及び下限は、任意に組み合わせることができる。最も好ましい傾斜面１３の傾斜角度αは３５度である。
コインのサイズが異なると、傾斜面１３の最適な角度は変わり、例えば直径が２１ｍｍのコインの場合では傾斜面１３を滑り落ち当接部１４に当って起き上がるときに２５セントサイズ（直径２４．４ｍｍ）のときよりも傾斜面１３に接する２点の中心が中心軸（回転軸）より遠ざかるため、自然に起き上がる力が弱まる。そのため、落下口でコインが起き上がるには傾斜面の傾斜角αを大きくして滑り落ちる勢いで起こす必要があり、最適角度は２５セントタイプと比べ傾斜面の角度がきつくなる。
他方、直径が２６ｍｍのコインでは、傾斜面の傾斜角度αの最適角度は、２５セントタイプ（直径２４．４ｍｍ）の場合に比べ緩くなる。
【００５５】
載置面２２の傾斜角度（載置面２２が水平と成す角度）βが大きいほど、送出口２７でのコイン詰まりの可能性が小さくなる。
この載置面２２の傾斜角βはコインのサイズに依存しにくく、コインの重さと載置面の摩擦係数に依存する。
よって、傾斜角度βは、４０度以上であることが好ましく、４３度以上であることがより好ましく、４４度以上であることが特に好ましい。一方、傾斜角度βが小さいほど、コインの載置が容易になる。よって、載置面２２の傾斜角度βは、５０度以下であることが好ましく、４７度以下であることがより好ましく、４６度以下であることが特に好ましい。上記傾斜角度βの上限及び下限は、任意に組み合わせることができる。最も好ましい載置面２２の傾斜角度βは４５度である。
【００５６】
上記理由から、載置面２２の傾斜角度βは、傾斜面１３の傾斜角度αよりも大きいことが好ましい。
【００５７】
上記投入装置１０では、コインを寝かせた状態で載置面２２に載置することでコインの投入を行うことができる。コインを寝かせた状態で載置面２２に載置すること（コインを載置面２２に平積みすること）は、立てた状態で載置することに比べて容易であり、従来の投入装置に比べ、投入がより容易であり、複数のコインを載置面２２に積み重ねて載置することで複数のコインを投入できるので、複数のコインを投入することが容易になり、投入時間も短くできる。
【００５８】
傾斜面１３の傾斜角度αが３０〜４０度、載置面２２の傾斜角度βが４０〜５０度、送出口２７の幅がコイン２枚分の厚みより大きく、コイン３枚分の厚みより小さい、という条件の投入装置１０でコインを連続投入する実験を行ったところ、載置面２２へ一度に載置した最大枚数は９枚であったが、傾斜面１３を滑り落ち当接部１４で滞留してしまったコインは殆どなかった。
【００５９】
図７（ａ）、図７（ｂ）は、従来のゲーム機３０ａ，３０ｂを示す。図示のように、ゲーム機３０ａ，３０ｂは、筐体３１と投入装置３２ａ，３２ｂを有する。投入装置３２ａ，３２ｂは、コインを１枚ずつ投入する方式である。筐体３１には、図示のように、種々の操作部材や読取装置を配置することができる。投入装置３２ａ，３２ｂから投入されたコインは、筐体３１内に保管される。筐体３１は施錠可能であり、筐体３１内に保管されたコインをプレイヤが勝手に取り出すことはできない。
【００６０】
図８（ａ）、図８（ｂ）は、本発明の１実施形態に従うゲーム機３０ｃ，３０ｄを示す。ゲーム機３０ｃ，３０ｄは、ゲーム機３０ａ，３０ｂと同様の筐体３１と、投入装置３２ｃ，３２ｄを有する。投入装置３２ｃ，３２ｄは、投入装置１０と同様の構成を有する。ゲーム機３０ｃ，３０ｄでは、投入装置３２ｃ，３２ｄによりコインを投入することができるため、コインの投入が容易である。
【００６１】
ゲーム機３０ｃ，３０ｄでは、落下口１２、傾斜面１３、当接部１４及び送出部２０が筐体３１の外部に設置されており、筐体３１が施錠された状態でも、プレイヤが触れることができる。よって、落下口１２、傾斜面１３、当接部１４又は送出部２０でコイン詰まりが生じた場合、筐体３１を開錠しなくても、プレイヤは詰まったコインを取り除くことができる。
【００６２】
図８（ａ）、図８（ｂ）において、矢印Ｄ１は、ゲーム機の正面方向を示す。ゲーム機の正面方向は、ゲームの際にプレイヤがゲーム機３０ｃ，３０ｄに対向する方向（ゲームを行うプレイヤの位置からゲーム機３０ｃ，３０ｄに向かう方向）である。
【００６３】
ゲーム機３０ｃでは、載置面２２の方向（載置面２２の法線ベクトルを水平面に投影したベクトルの方向）Ｄ２が、ゲーム機の正面方向Ｄ１と概略平行となるように、投入装置３２ｃが設置されている。これに対し、ゲーム機３０ｄでは、載置面２２の方向Ｄ２が、ゲーム機の正面方向Ｄ１と概略直交する方向に設けられている。ゲーム機３０ｄでは、載置面２２をプレイヤから視認し易い角度であり、そのため、載置面２２にコインを載置することがより容易である。
【００６４】
投入装置３２ｃ，３２ｄの切欠２２ａは、載置面２２におけるプレイヤに近い側（図８（ａ）、図８（ｂ）における矢印Ｄ１の逆側）に位置する方が、投入操作が容易になる。よって、ゲーム機３０ｄに設置する投入装置３２ｄは、図９に示すように、載置面２２の右側に切欠２２ａが位置する方が好ましい。従って取り付け位置において空間的余裕がない場合は逆向きに取り付けることでもよい。
【符号の説明】
【００６５】
１０・・・投入装置
１１・・・基台
１２・・・落下口
１３・・・傾斜面
１４・・・当接部
１５・・・ブラケット
２０・・・送出部
２１・・・載置部材
２２・・・載置面
２２ａ・・・切欠
２３・・・脚
２４・・・上部部材
２５・・・天井
２６・・・カバー
２７・・・送出口
２８・・・脚
３０ａ〜３０ｄ・・・ゲーム機
３１・・・筐体
３２ａ〜３２ｄ・・・投入装置
【図１】
2017140322.tif 000003
【図２】
2017140322.tif 000004
【図３】
2017140322.tif 000005
【図４】
2017140322.tif 000006
【図５】
2017140322.tif 000007
【図６】
2017140322.tif 000008
【図７】
2017140322.tif 000009
【図８】
2017140322.tif 000010
【図９】
2017140322.tif 000011
【図１０】
2017140322.tif 000012
【図１１】
2017140322.tif 000013